(57)【特許請求の範囲】
【請求項１】
複数の伝票の情報が記録された文書データを生成する機能を有し、ドットインパクトプリンタを備えたプリンタ一体型の事務コンピュータであって、
ユーザから前記文書データの印刷が命令された場合に、予め設定された基準に従い、複数の印刷モードの中から前記文書データの印刷に使用する印刷モードを選択する印刷モード選択部と、
前記文書データに記録された前記複数の伝票の情報の中から、未だ印刷が実行されていない前記伝票の情報を選択し、前記印刷モード選択部で選択された前記印刷モードを使って前記伝票の情報の印刷を制御する印刷制御部と、を備え、
前記複数の印刷モードには、少なくとも、簡易プリンタ言語を使ってプリンタに印刷を命令する第１の印刷モードと、高級プリンタ言語を使ってプリンタに印刷を命令する第２の印刷モードとが含まれ、
前記印刷モード選択部は、前記印刷制御部で選択された前記伝票の情報毎に前記印刷モードを選択して、前記ドットインパクトプリンタが印刷を命令されるときに、前記第１の印刷モードを選択し、
前記印刷制御部は、選択した前記伝票の情報の印刷を制御した後、全ての伝票の情報の印刷が完了したかを判別し、全ての伝票の情報の印刷が完了していない場合、再び未だ印刷が実行されていない前記伝票の情報の選択及び前記伝票の情報の印刷を行う、
事務コンピュータ。
【請求項２】
前記伝票の種類と前記印刷モードとを関連付けた設定データを記憶する記憶部、を備え、
前記印刷モード選択部は、前記文書データに記録された前記伝票の種類の情報と前記設定データとに基づいて、前記文書データの印刷に使用する前記印刷モードを選択する、
請求項１に記載の事務コンピュータ。
【請求項３】
前記第１の印刷モードは、前記簡易プリンタ言語を使ってドットインパクト方式のプリンタに印刷を命令する印刷モードであり、
前記第２の印刷モードは、前記高級プリンタ言語を使って電子写真方式もしくはインクジェット方式のプリンタに印刷を命令する印刷モードであり、
前記印刷モード選択部は、
前記文書データに記録された前記伝票の種類が複写伝票の場合には、前記第１の印刷モードを前記印刷制御部が使用する前記印刷モードとして選択し、
前記文書データに記録された前記伝票の種類が非複写伝票の場合には、前記第２の印刷モードを前記印刷制御部が使用する前記印刷モードとして選択する、
請求項１又は２に記載の事務コンピュータ。
【請求項４】
複数の伝票の情報が記録された文書データを生成する機能を有し、ドットインパクトプリンタを備えたプリンタ一体型の事務コンピュータを、
ユーザから前記文書データの印刷が命令された場合に、予め設定された基準に従い、少なくとも、簡易プリンタ言語を使ってプリンタに印刷を命令する第１の印刷モードと、高級プリンタ言語を使ってプリンタに印刷を命令する第２の印刷モードとが含まれる複数の印刷モードの中から前記文書データの印刷に使用する印刷モードを選択する印刷モード選択部、
前記文書データに記録された前記複数の伝票の情報の中から、未だ印刷が実行されていない前記伝票の情報を選択し、前記印刷モード選択部で選択された前記印刷モードを使って前記伝票の情報の印刷を制御する印刷制御部、として機能させ、
前記印刷モード選択部は、前記印刷制御部で選択された前記伝票の情報毎に前記印刷モードを選択して、前記ドットインパクトプリンタが印刷を命令されるときに、前記第１の印刷モードを選択し、
前記印刷制御部は、選択した前記伝票の情報の印刷を制御した後、全ての伝票の情報の印刷が完了したかを判別し、全ての伝票の情報の印刷が完了していない場合、再び未だ印刷が実行されていない前記伝票の情報の選択及び前記伝票の情報の印刷を行う、
プログラム。
【発明の詳細な説明】
【技術分野】
【０００１】
本発明の実施態様は、事務コンピュータ、及びプログラムに関する。
【背景技術】
【０００２】
ユーザが入力した情報に基づいて伝票を作成し、作成した伝票をプリンタで印刷するコンピュータ（以下、「事務コンピュータ」という。）が知られている。事務コンピュータの多くは、プリンタ言語を使用してプリンタを制御する。プリンタ言語は、ＥＳＣ／Ｐ（登録商標）等、主にドットインパクト方式のプリンタに使用される簡易なプリンタ言語（以下、「簡易プリンタ言語」という。）と、ＰｏｓｔＳｃｒｉｐｔ（登録商標）等、主に電子写真方式及びインクジェット方式のプリンタに使用される、高度な印刷が可能なプリンタ言語（いわゆるページ記述言語。以下、「高級プリンタ言語」という。）と、に分けられる。
【０００３】
簡易プリンタ言語は、ドットインパクト方式のプリンタが主流であった時代に開発された旧式のプリンタ言語であるので、高精細な内容の印刷には適していない。レーザープリンタやインクジェットプリンタ等、高精細な印刷が可能なプリンタが主流となった現在では、簡易プリンタ言語は、複写伝票の印刷以外にあまり使われていないのが現状である。
【０００４】
このような現状から、事務コンピュータは、複写伝票を扱う業務プログラムのみが簡易プリンタ言語を使用し、その他の業務プログラムは、高級プリンタ言語のみを使用する。例えば、宅配便の送り状（複写伝票）を扱う業務プログラムは、簡易プリンタ言語のみを使用し、納品書（非複写伝票）を扱う業務プログラムは、高級プリンタ言語のみを使用する。
【先行技術文献】
【特許文献】
【０００５】
【特許文献１】特開２０１１−２１０１１５号公報
【発明の概要】
【発明が解決しようとする課題】
【０００６】
伝票発行業務の複雑化に伴い、１つの業務プログラムで複写伝票と非複写伝票の双方を扱う必要性が出てきている。しかしながら、従来の事務コンピュータは、１つの業務プログラムで使用可能なプリンタ言語が、簡易プリンタ言語および高級プリンタ言語のいずれか一方に固定されている。
【０００７】
本発明が解決しようとする課題は、１つの業務プログラムで複写伝票と非複写伝票の双方を扱うことを可能とすることである。
【課題を解決するための手段】
【０００８】
実施形態の事務コンピュータは、複数の伝票の情報が記録された文書データを生成する機能を有し、ドットインパクトプリンタを備えたプリンタ一体型の事務コンピュータである。事務コンピュータは、ユーザから前記文書データの印刷が命令された場合に、予め設定された基準に従い、複数の印刷モードの中から前記文書データの印刷に使用する印刷モードを選択する印刷モード選択部と、前記文書データに記録された前記複数の伝票の情報の中から、未だ印刷が実行されていない前記伝票の情報を選択し、前記印刷モード選択部で選択された前記印刷モードを使って前記伝票の情報の印刷を制御する印刷制御部と、を備える。前記複数の印刷モードには、少なくとも、簡易プリンタ言語を使ってプリンタに印刷を命令する第１の印刷モードと、高級プリンタ言語を使ってプリンタに印刷を命令する第２の印刷モードとが含まれる。前記印刷モード選択部は、前記印刷制御部で選択された前記伝票の情報毎に前記印刷モードを選択して、前記ドットインパクトプリンタが印刷を命令されるときに、前記第１の印刷モードを選択する。前記印刷制御部は、選択した前記伝票の情報の印刷を制御した後、全ての伝票の情報の印刷が完了したかを判別し、全ての伝票の情報の印刷が完了していない場合、再び未だ印刷が実行されていない前記伝票の情報の選択及び前記伝票の情報の印刷を行う。
【図面の簡単な説明】
【０００９】
【図１】実施形態１の事務コンピュータを備える事務処理システムを示す図である。
【図２】実施形態１の事務コンピュータのブロック図である。
【図３】記憶部にデータが格納されている様子を示す図である。
【図４】制御部の機能ブロック図である。
【図５】実施形態１の印刷処理を示すフローチャートである。
【図６】文書データの構造を示す図である。
【図７】実施形態２の印刷処理を示すフローチャートである。
【図８】実施形態３の事務コンピュータを備える事務処理システムを示す図である。
【図９】実施形態３の事務コンピュータのブロック図である。
【発明を実施するための形態】
【００１０】
以下、発明を実施するための形態について図面を参照しながら説明する。なお、図中、同一または同等の部分には同一の符号を付す。
【００１１】
（実施形態１）
図１は、実施形態１の事務コンピュータ１００を備える事務処理システム１を示す図である。事務処理システム１は、事務コンピュータ１００と、複数のプリンタ２００と、を備える。複数のプリンタ２００には、ドットインパクト方式のプリンタと、電子写真方式およびインクジェット方式のプリンタと、が含まれる。より具体的には、ドットインパクトプリンタ２００ａと、レーザープリンタ２００ｂと、インクジェットプリンタ２００ｃとが含まれる。
【００１２】
事務コンピュータ１００と複数のプリンタ２００とは、ネットワーク２を介して接続されている。ネットワーク２は、ＬＡＮ（Local Area Network）、ＷＡＮ（Wide Area Network）、電話網（携帯電話網、固定電話網等）、地域ＩＰ網、インターネット等の通信ネットワークである。
【００１３】
事務コンピュータ１００は、ユーザが入力した情報に基づいて伝票を作成し、作成した伝票をプリンタ２００に印刷させる業務プログラムを備えたコンピュータである。業務プログラムは、例えば、宅配便の送り状を作成して印刷する機能を備えたプログラム、納品書を作成して印刷する機能を備えたプログラム等である。これらの業務プログラムはアプリケーションプログラムの形式でユーザに提供される。１つのアプリケーションプログラムで１つの業務プログラムをサポートしていてもよいし、１つのアプリケープログラムで複数の業務プログラムをサポートしていてもよい。
【００１４】
なお、伝票とは、会計伝票、受発注伝票、作業管理伝票、入出庫管理伝票、送り状、納品書、請求書、見積書、領収証等の定型書類である。伝票には、複写伝票と非複写伝票の２種類がある。複写伝票は、複数の用紙から構成され、上用紙に印刷もしくは記載された文字等が圧力により中用紙や下用紙に複写される伝票である。非複写伝票は、文字等が他の用紙に複写されない通常の伝票である。
【００１５】
事務コンピュータ１００は、印刷モード１と印刷モード２の２つの印刷モードを有している。印刷モード１は、簡易プリンタ言語を使ってプリンタに印刷を命令する印刷モードであり、印刷モード２は、高級プリンタ言語を使ってプリンタに印刷を命令する印刷モードである。
【００１６】
ここで、簡易プリンタ言語とは、主に、ドットインパクト方式のプリンタを制御することを目的としたプリンタ言語であり、例えば、ＥＳＣ／Ｐ（登録商標）（Epson Standard Code for Printer）や２０１ＰＬ等のことである。
【００１７】
また、高級プリンタ言語とは、主に、電子写真方式もしくはインクジェット方式のプリンタを制御することを目的としたプリンタ言語（いわゆるページ記述言語）であり、例えば、ＰｏｓｔＳｃｒｉｐｔ（登録商標）、ＰＣＬ（Printer Control Language）、ＬＩＰＳ（登録商標）（Image Processing System）、ＡＲＴ（Advanced Rendering Tools）、ＲＰＤＬ（登録商標）（Ricoh Page Description Language）、ＲＰＣＳ（登録商標）(Refined Printing Command Stream）、ＥＳＣ／Ｐａｇｅｓ（登録商標）（Epson Standard Code for Page printer）、ＰＲＥＳＣＲＩＢＥ（登録商標）、Ｐａｇｅｓ等のことである。なお、事務コンピュータ１００に使用されるＯＳ（Operating System）がＷｉｎｄｏｗｓ（登録商標）の場合、高級プリンタ言語を使用した印刷は「Ｗｉｎｄｏｗｓ（登録商標）印刷」と言い換えることができる。
【００１８】
図２は、実施形態１の事務コンピュータ１００のブロック図である。事務コンピュータ１００は、通信インタフェース１１０と、表示部１２０と、操作部１３０と、記憶部１４０と、制御部１５０と、を備える。
【００１９】
通信インタフェース１１０は、事務コンピュータ１００をネットワーク２に接続するためのネットワーク接続インタフェースである。通信インタフェース１１０は、事務コンピュータ１００の通信部として機能する。通信インタフェース１１０は、例えば、有線若しくは無線を介してルータと接続するＬＡＮ接続装置である。通信インタフェース１１０は、制御部１５０の制御に従って、プリンタ２００と通信する。
【００２０】
表示部１２０は、液晶ディスプレイ（Liquid Crystal Display）や有機ＥＬディスプレイ（Organic Electro-Luminescent Display）等の表示装置である。表示部１２０は、制御部１５０の制御に従って、ユーザに各種情報を表示する。
【００２１】
操作部１３０は、キーボード、マウス、タッチパネル等の入力装置である。操作部１３０は、ユーザの操作情報を制御部１５０に通知する。
【００２２】
記憶部１４０は、ＤＲＡＭ（Dynamic Random Access Memory）、ＳＲＡＭ（Static Random Access Memory）、フラッシュメモリ、ハードディスク等のデータ読み書き可能な記憶装置である。図３は、記憶部１４０にデータが格納されている様子を示す図である。記憶部１４０には、複数の文書データ１４１や設定データ１４２等が格納されている。
【００２３】
文書データ１４１は、伝票情報が記録されたデータである。実施形態１では、１つの文書データ１４１は、１つの伝票データから構成されている。例えば、文書データ１４１は、会計伝票、受発注伝票、作業管理伝票、入出庫管理伝票、送り状、納品書、請求書、見積書、領収証の中のいずれか１つの伝票である。
【００２４】
設定データ１４２は、伝票の種類と印刷モードとを関連付けたデータである。例えば、設定データ１４２は、伝票の種類を示す識別情報（例えば、図３に示す「伝票Ａ」、「伝票Ｂ」、「伝票Ｃ」、・・・・）それぞれに、印刷モード１あるいは印刷モード２を示す識別情報（例えば、図３に示す「モード１」、「モード２」）を関連付けたデータである。「伝票Ａ」は、例えば、宅配便の送り状（複写伝票）を示す識別情報であり、「伝票Ｂ」は、例えば、納品書（非複写伝票）を示す識別情報であり、「伝票Ｃ」は、例えば、入金伝票（複写伝票もしくは非複写伝票）を示す識別情報である。また、「モード１」は、印刷モード１を示す識別情報であり、「モード２」は、印刷モード２を示す識別情報である。なお、印刷モード１と印刷モード２の双方が使用可能な伝票には、図３に示す「伝票Ｃ」のように、「モード１」と「モード２」の双方が関連付けられていてもよい。設定データ１４２は、装置製造者もしくはユーザにより、印刷処理実行前に予め設定される。
【００２５】
制御部１５０は、プロセッサ等の処理装置である。制御部１５０は不図示のＲＯＭ（Read Only Memory）やＲＡＭ（Random Access Memory）に格納されているプログラムに従って動作することで、後述の「印刷処理」を含む種々の動作を実現する。図４は制御部１５０の機能ブロック図である。制御部１５０は、不図示のＲＯＭやＲＡＭに格納されているプログラムに従って動作することで、文書データ取得部１５１、印刷モード選択部１５２、及び印刷制御部１５３、として機能する。文書データ取得部１５１〜印刷制御部１５３の動作については、後述の印刷処理の説明の箇所で述べる。なお、制御部１５０は、１つのプロセッサから構成されていてもよいし、複数のプロセッサから構成されていてもよい。複数のプロセッサで制御部１５０を構成する場合、制御部１５０は、複数のプロセッサの協働により「印刷処理」を実現してもよい。
【００２６】
次に、このような構成を有する事務コンピュータ１００の動作について説明する。
【００２７】
図５は実施形態１の印刷処理を示すフローチャートである。ユーザが操作部１３０を操作して事務コンピュータ１００に文書データ１４１の印刷を命令すると、制御部１５０は印刷処理を開始する。以下、図５のフローチャートを参照して印刷処理を説明する。
【００２８】
文書データ取得部１５１は、記憶部１４０から文書データ１４１を取得する（ＡＣＴ１０１）。例えば、文書データ取得部１５１は、記憶部１４０から文書データ１４１をリードし、不図示のワークメモリに保存する。文書データ１４１がＵＳＢメモリやＤＶＤ−ＲＯＭ等の記録媒体に格納されているのであれば、記録媒体から文書データ１４１をリードし、不図示のワークメモリに保存する。文書データ１４１がネットワーク２上のサーバに格納されているのであれば、サーバからネットワーク２を介して文書データ１４１を取得し、不図示のワークメモリに保存する。
【００２９】
続いて、印刷モード選択部１５２は、予め設定された基準に従い、複数の印刷モードの中から文書データ１４１の印刷に使用する印刷モードを選択する（ＡＣＴ１０２）。具体的には、印刷モード選択部１５２は、文書データ１４１の種類を設定データ１４２に照合することによって、文書データ１４１の印刷に使用する印刷モードを選択する。例えば、文書データ１４１の種類が伝票Ａなのであれば、印刷モード選択部１５２は、印刷モード１を選択する。文書データ１４１の種類が伝票Ｂなのであれば、印刷モード選択部１５２は、印刷モード２を選択する。文書データ１４１の種類が伝票Ｃなのであれば、印刷モード選択部１５２は、印刷モード１と印刷モード２のいずれか一方を選択する。
【００３０】
印刷制御部１５３は、ＡＣＴ１０２で選択された印刷モードが印刷モード１か印刷モード２か判別する（ＡＣＴ１０３）。
【００３１】
ＡＣＴ１０２で選択された印刷モードが印刷モード１の場合（ＡＣＴ１０３：Ｙｅｓ）、印刷制御部１５３は、印刷モード１を使って（つまり、簡易プリンタ言語を使って）文書データ１４１を印刷する（ＡＣＴ１０４）。具体的には、印刷制御部１５３は、以下の処理を実行する。
【００３２】
まず、印刷制御部１５３は、文書データ１４１の印刷に使用する印刷モードを印刷モード１に切り替える。このとき、印刷制御部１５３は、印刷に使用するプリンタを、簡易プリンタ言語を使用可能なプリンタに切り替える。本実施形態の場合、印刷制御部１５３は、印刷に使用するプリンタをドットインパクトプリンタ２００ａに切り替える。そして、印刷制御部１５３は、ドットインパクトプリンタ２００ａに対し、簡易プリンタ言語を使って文書データ１４１の印刷を命令する。
【００３３】
ＡＣＴ１０２で選択された印刷モードが印刷モード２の場合（ＡＣＴ１０３：Ｎｏ）、印刷制御部１５３は、印刷モード２を使って（つまり、高級プリンタ言語を使って）文書データ１４１を印刷する（ＡＣＴ１０５）。具体的には、印刷制御部１５３は、以下の処理を実行する。
【００３４】
まず、印刷制御部１５３は、文書データ１４１の印刷に使用する印刷モードを印刷モード２に切り替える。このとき、印刷制御部１５３は、印刷に使用するプリンタを、高級プリンタ言語を使用可能なプリンタに切り替える。本実施形態の場合、印刷制御部１５３は、印刷に使用するプリンタをレーザープリンタ２００ｂもしくはインクジェットプリンタ２００ｃに切り替える。いずれのプリンタを使用するかは、予め事務コンピュータ１００に設定されていてもよい。そして、印刷制御部１５３は、レーザープリンタ２００ｂもしくはインクジェットプリンタ２００ｃに対し、高級プリンタ言語を使って文書データ１４１の印刷を命令する。
【００３５】
文書データ１４１の印刷が完了したら、制御部１５０は印刷処理を終了する。
【００３６】
本実施形態によれば、予め設定された基準に従って、複数の印刷モード（印刷モード１、２）の中から文書データ１４１の印刷に使用する印刷モードを選択するよう構成されているので、事務コンピュータ１００は、１つの業務プログラムで複写伝票と非複写伝票の双方を扱うことができる。
【００３７】
（実施形態２）
実施形態１の事務コンピュータ１００が印刷する文書データ１４１は、１種類の伝票データから構成されていた。しかしながら、文書データ１４１は複数種類の伝票データから構成されていてもよい。以下、実施形態２の事務コンピュータ１００を備える事務処理システム１について説明する。
【００３８】
実施形態２の事務処理システム１は、図１に示す実施形態１の事務処理システム１と同様に、事務コンピュータ１００と、複数のプリンタ２００（ドットインパクトプリンタ２００ａと、レーザープリンタ２００ｂと、インクジェットプリンタ２００ｃ）とを備える。
【００３９】
実施形態２の事務コンピュータ１００は、図２に示す実施形態１の事務コンピュータ１００と同様に、通信インタフェース１１０と、表示部１２０と、操作部１３０と、記憶部１４０と、制御部１５０と、を備える。
【００４０】
記憶部１４０は、ＤＲＡＭ、ＳＲＡＭ、フラッシュメモリ、ハードディスク等のデータ読み書き可能な記憶装置である。図６は、記憶部１４０にデータが格納されている様子を示す図である。記憶部１４０には、複数の文書データ１４１や設定データ１４２等が格納されている。
【００４１】
文書データ１４１は、伝票情報が記録されたデータである。実施形態２では、１つの文書データ１４１は、複数種類の伝票データから構成されている。例えば、文書データ１４１は、会計伝票、受発注伝票、作業管理伝票、入出庫管理伝票、送り状、納品書、請求書、見積書、領収証の中から選択される複数種類の伝票である。
【００４２】
その他の事務コンピュータ１００の機器構成は実施形態１の事務コンピュータ１００と同じであるので説明を省略する。
【００４３】
次に、このような構成を有する事務コンピュータ１００の動作について説明する。
【００４４】
図７は実施形態１の印刷処理を示すフローチャートである。ユーザが操作部１３０を操作して事務コンピュータ１００に文書データ１４１の印刷を命令すると、制御部１５０は印刷処理を開始する。以下、図７のフローチャートを参照して印刷処理を説明する。
【００４５】
文書データ取得部１５１は、記憶部１４０から文書データ１４１を取得する（ＡＣＴ２０１）。
【００４６】
文書データ１４１の取得が完了したら、印刷モード選択部１５２は、取得した文書データ１４１に含まれる複数の伝票データ（図６に示す伝票データ１４１ａ、１４１ｂ、１４１ｃ、・・・・）の中から未だ印刷が実行されていない伝票データを１つ選択する（ＡＣＴ２０２）。
【００４７】
続いて、印刷モード選択部１５２は、予め設定された基準に従い、複数の印刷モードの中から伝票データの印刷に使用する印刷モードを選択する（ＡＣＴ２０３）。具体的には、印刷モード選択部１５２は、ＡＣＴ２０２で選択された伝票データの種類を図３に示す設定データ１４２に照合することによって、伝票データの印刷に使用する印刷モードを選択する。
【００４８】
印刷制御部１５３は、ＡＣＴ２０３で選択された印刷モードが印刷モード１か印刷モード２か判別する（ＡＣＴ２０４）。
【００４９】
ＡＣＴ２０３で選択された印刷モードが印刷モード１の場合（ＡＣＴ２０４：Ｙｅｓ）、印刷制御部１５３は、印刷モード１を使って、つまり、簡易プリンタ言語を使って伝票データの印刷を実行する（ＡＣＴ２０５）。
【００５０】
ＡＣＴ２０３で選択された印刷モードが印刷モード２の場合（ＡＣＴ２０４：Ｎｏ）、印刷制御部１５３は、印刷モード２を使って（つまり、高級プリンタ言語を使って）伝票データを印刷する（ＡＣＴ２０６）。
【００５１】
印刷が完了したら、印刷制御部１５３は文書データ１４１に含まれる全ての伝票データの印刷が完了したか判別する（ＡＣＴ２０７）。全ての伝票データの印刷が完了していない場合（ＡＣＴ２０７：Ｎｏ）、印刷制御部１５３はＡＣＴ２０２に処理を戻す。全ての伝票データの印刷が完了している場合（ＡＣＴ２０７：Ｙｅｓ）、印刷制御部１５３は印刷処理を終了する。
【００５２】
本実施形態によれば、予め設定された基準に従って、複数の印刷モードの中から伝票データの印刷に使用する印刷モードを選択するよう構成されているので、複写伝票と非複写伝票の双方が含まれる文書データであっても、１つの業務プログラムで扱うことができる。
【００５３】
（実施形態３）
実施形態１及び２の事務コンピュータ１００は、プリンタ２００を搭載しないコンピュータのみの装置であった。しかしながら、事務コンピュータ１００は、プリンタを搭載するプリンタ一体型のコンピュータであってもよい。以下、実施形態３の事務コンピュータ１００を備える事務処理システム１について説明する。
【００５４】
図８は、実施形態３の事務コンピュータ１００を備える事務処理システム１を示す図である。事務処理システム１は、事務コンピュータ１００と、プリンタ２００ｄと、を備える。プリンタ２００ｄは、電子写真方式もしくはインクジェット方式のプリンタ２００である。事務コンピュータ１００とプリンタ２００ｄとは、ＵＳＢケーブルやＬＡＮケーブル等の通信ケーブル３を介して接続されている。
【００５５】
図９は、実施形態３の事務コンピュータ１００のブロック図である。事務コンピュータ１００は、通信インタフェース１１０と、表示部１２０と、操作部１３０と、記憶部１４０と、制御部１５０と、印刷部１６０と、を備える。
【００５６】
印刷部１６０は、事務コンピュータ１００に搭載されたプリンタである。印刷部１６０は、ドットインパクト方式のプリンタである。印刷部１６０は、制御部１５０は、制御部１５０の制御に従って複写伝票等の用紙に印刷を実行する。
【００５７】
事務コンピュータ１００は、印刷モード１と印刷モード２の２つの印刷モードを有している。印刷モード１は、簡易プリンタ言語を使ってプリンタに印刷を命令する印刷モードであり、印刷モード２は、高級プリンタ言語を使ってプリンタに印刷を命令する印刷モードである。本実施形態の場合、印刷モードが印刷モード１の場合は、事務コンピュータ１００は印刷部１６０を使って印刷を実行し、印刷モードが印刷モード２の場合は、事務コンピュータ１００は、プリンタ２００ｄを使って印刷を実行する。
【００５８】
事務コンピュータ１００のその他の機器構成および動作は、実施形態１および２の事務コンピュータ１００と同じであるので説明を省略する。
【００５９】
本実施形態によれば、プリンタ一体型の事務コンピュータであっても、１つの業務プログラムで複写伝票と非複写伝票の双方を扱うことができる。
【００６０】
なお、上述の各実施形態は、それぞれ一例を示したものであり、種々の変更及び応用が可能である。
【００６１】
例えば、上述の各実施形態では、事務処理システム１が備える電子写真方式のプリンタは、レーザープリンタであるものとして説明したが、事務処理システム１が備える電子写真方式のプリンタはレーザープリンタに限られない。事務処理システム１が備える電子写真方式のプリンタはＬＥＤ（Light Emitting Diode）プリンタであってもよい。
【００６２】
また、実施形態１および２の事務処理システム１は、ドットインパクトプリンタを１台のみ備えていたが、事務処理システム１は複数のドットインパクトプリンタを備えていてもよい。また、実施形態１および２の事務処理システム１は、電子写真方式およびインクジェット方式のプリンタをそれぞれ１台ずつ備えていたが、事務処理システム１は電子写真方式およびインクジェット方式のプリンタをそれぞれ複数備えていてもよい。
【００６３】
また、実施形態３の事務処理システム１は、電子写真方式もしくはインクジェット方式のプリンタを１台のみ備えていたが、事務処理システム１は電子写真方式もしくはインクジェット方式のプリンタを複数台備えていてもよい。また、実施形態３の事務コンピュータ１００は、ドットインパクト方式のプリンタと接続されていてもよい。事務コンピュータ１００とプリンタは通信ケーブルでなく、無線を介して接続されていてもよい。また、事務コンピュータ１００とプリンタはネットワークを介して接続されていてもよい。
【００６４】
また、実施形態２では、文書データ１４１は、複数種類の伝票データで構成されるものとして説明したが、複数の伝票から構成されるのであれば、文書データ１４１は１種類の伝票から構成されていてもよい。このとき、印刷モード選択部１５２は、伝票データ毎に印刷モードを選択してもよい。
【００６５】
本実施形態の事務コンピュータ１００を制御する制御装置は、専用のコンピュータシステムによって実現してもよいし、通常のコンピュータシステムにより実現してもよい。例えば、上述の動作を実行するためのプログラムを、光ディスク、半導体メモリ、磁気テープ、フレキシブルディスク等のコンピュータ読み取り可能な記録媒体に格納して配布し、該プログラムをコンピュータにインストールし、上述の処理を実行することによって事務コンピュータ１００を制御する制御装置を構成してもよい。また、上記プログラムをインターネット等のネットワーク上のサーバ装置が備えるディスク装置に格納しておき、コンピュータにダウンロード等できるようにしてもよい。また、上述の機能を、ＯＳ（Operating System）とアプリケーションソフトとの協働により実現してもよい。この場合には、ＯＳ以外の部分を媒体に格納して配布してもよいし、ＯＳ以外の部分をサーバ装置に格納しておき、コンピュータにダウンロード等できるようにしてもよい。
【００６６】
本発明の実施形態を説明したが、この実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことが出来る。この実施形態やその変形は、発明の範囲や要旨に含まれるとともに、特許請求の範囲に記載された発明とその均等の範囲に含まれる。
【符号の説明】
【００６７】
１…事務処理システム
２…ネットワーク
３…通信ケーブル
１００…事務コンピュータ
１１０…通信インタフェース
１２０…表示部
１３０…操作部
１４０…記憶部
１４１…文書データ
１４２…設定データ
１５０…制御部
１５１…文書データ取得部
１５２…印刷モード選択部
１５３…印刷制御部
１６０…印刷部
２００…プリンタ
２００ａ…ドットインパクトプリンタ
２００ｂ…レーザープリンタ
２００ｃ…インクジェットプリンタ
【図１】
0006357121.tif 000002
【図２】
0006357121.tif 000003
【図３】
0006357121.tif 000004
【図４】
0006357121.tif 000005
【図５】
0006357121.tif 000006
【図６】
0006357121.tif 000007
【図７】
0006357121.tif 000008
【図８】
0006357121.tif 000009
【図９】
0006357121.tif 000010